(57)【要約】【課題】製造コストが高価になるなどの不具合を生じさせることなく、バーナケース内におけるバーナ本体の位置決め精度を高くすることが可能なバーナ装置を提供する。【解決手段】バーナ装置ＢのバーナユニットＵは、整流板部４０からその下方に向けて突出する複数の脚部４８，４９を備え、かつこれら複数の脚部４８，４９の下端がバーナケース１の底壁部１９に当接するように底壁部１９上に配置されていることにより、整流板部４０と底壁部１９との相互間に空気流路５９が形成されているとともに、バーナケース１内におけるバーナ本体３の上下高さ方向の位置決めが図られている。【選択図】  図３
2018185068.tif 000002
【特許請求の範囲】
【請求項１】
複数の通気孔を有する整流板部上にバーナ本体が載設されたバーナユニットと、
このバーナユニットを内部に収容し、かつ前記バーナユニットを外部に取り出し可能とする前面開口部を有するバーナケースと、
前記複数の通気孔を介して前記バーナ本体の設置領域に燃焼用空気が供給されるように前記整流板部の下方の空気流路に燃焼用空気を供給可能なファンと、
を備えている、バーナ装置であって、
前記バーナユニットは、前記整流板部からその下方に向けて突出する複数の脚部を備え、かつこれら複数の脚部の下端が前記バーナケースの底壁部に当接するように前記底壁部上に配置されていることにより、前記整流板部と前記底壁部との相互間に前記空気流路が形成されているとともに、前記バーナケース内における前記バーナ本体の上下高さ方向の位置決めが図られていることを特徴とする、バーナ装置。
【請求項２】
請求項１に記載のバーナ装置であって、
前記複数の脚部は、前記整流板部の端部が下向きに屈曲されて構成されている、バーナ装置。
【請求項３】
請求項１または２に記載のバーナ装置であって、
前記複数の脚部として、前記整流板部の左右の両側端部から下向きに突出した左右一対のサイド脚部が設けられており、
これら一対のサイド脚部は、前記バーナケースの左右一対の側壁部に対向接触または対向接近するようにしてこれら一対の側壁部の間に挟まれていることにより、前記バーナケース内における前記バーナ本体の左右横幅方向の位置決めが図られている、バーナ装置。
【請求項４】
請求項３に記載のバーナ装置であって、
前記バーナユニットには、前記整流板部の前部から上向きに起立し、かつ前記バーナ本体の前部を支持する前壁部が設けられており、
この前壁部の左右横幅方向の両端部には、前記バーナケースの左右一対の側壁部に対向接触または対向接近するようにしてこれら一対の側壁部の間に挟まれる少なくとも一対の補助フランジ部が形成されている、バーナ装置。
【請求項５】
請求項３または４に記載のバーナ装置であって、
前記バーナケースの底壁部の前縁部には、上向きに起立して左右横幅方向に延びる下側フランジ部が設けられており、
この下側フランジ部の左右両端部と前記バーナケースの左右一対の側壁部との相互間には、前記バーナユニットを前記バーナケースの内外に出し入れする際に前記サイド脚部が通過可能な左右一対の凹状部が設けられている、バーナ装置。
【請求項６】
請求項１ないし５のいずれかに記載のバーナ装置であって、
前記複数の脚部のうちの１つとして、前記整流板部の後端部から下向きに突出したリヤ脚部を備えており、
このリヤ脚部は、前記バーナケースの後壁部に対向接触するように設定されていることにより、前記バーナケース内における前記バーナ本体の前後方向の位置決めが図られている、バーナ装置。
【発明の詳細な説明】
【技術分野】
【０００１】
本発明は、たとえばガス給湯装置の構成要素などとして用いるのに好適なバーナ装置に関する。
【背景技術】
【０００２】
バーナ装置の具体例として、特許文献１に記載されたものがある。
同文献に記載されたバーナ装置は、バーナケース内にバーナユニットが収容されており、かつ前記バーナケースには、バーナユニットをバーナケースの内外に出し入れ可能とする前面開口部が形成されている。前記バーナユニットは、複数のバーナ本体（ガス燃焼管）が横並び状に配列された状態で整流板部上に載設され、これらが１纏まりに組み合わされたものである。前記整流板部は、上下高さ方向に貫通した複数の通気孔を備えており、その下方には、別途設けられたファンから燃焼用空気の供給を受ける空気流路が形成されている。この空気流路に供給されてきた燃焼用空気の一部は、整流板部の各通気孔を通過し、バーナ本体の設置領域に２次空気として供給される。
このような構成によれば、２次空気を利用してバーナ本体の保炎性をよくし得る他、複数のバーナ本体をバーナケースの前面開口部からその内外に一括して出し入れすることも可能となる。したがって、バーナ装置の組み立て作業や、バーナ本体のメンテナンス作業などが容易となり、便利である。
【０００３】
しかしながら、前記従来技術においては、次に述べるように、未だ改善すべき余地があった。
【０００４】
すなわち、バーナユニットをバーナケース内に組み込む場合、複数のバーナ本体がバーナケース内の所定の位置に精度良く配置されるように設定する必要がある。たとえば、バーナユニットをバーナケース内に組み込んだ際に、バーナユニットの位置が本来の適正な位置から位置ずれしたのでは、空気通路の状態が変わるため空気の流れが変化し燃焼が不安定になる虞がある。ところが、従来においては、そのようなことに対して簡易な構成によって適切に対処し得る手段は講じられていない。従来においては、バーナユニットおよびバーナケースの所定箇所に設けられているネジ孔やビス挿通孔を利用してこれらをビス止めするといった手段が採用されているが、ビス挿通孔には遊び代が存在するため、ビス止めによる位置決めを図るだけでは、バーナユニットを所定の位置に精度よく配置させることは難しい。
【先行技術文献】
【特許文献】
【０００５】
【特許文献１】特開２０１６−１２５６８５号公報
【発明の概要】
【発明が解決しようとする課題】
【０００６】
本発明は、前記したような事情のもとで考え出されたものであり、製造コストが高価になるなどの不具合を生じさせることなく、バーナケース内におけるバーナ本体の位置決め精度を高くすることが可能なバーナ装置を提供することを、その課題としている。
【課題を解決するための手段】
【０００７】
前記の課題を解決するため、本発明では、次の技術的手段を講じている。
【０００８】
本発明により提供されるバーナ装置は、複数の通気孔を有する整流板部上にバーナ本体
が載設されたバーナユニットと、このバーナユニットを内部に収容し、かつ前記バーナユニットを外部に取り出し可能とする前面開口部を有するバーナケースと、前記複数の通気孔を介して前記バーナ本体の設置領域に燃焼用空気が供給されるように前記整流板部の下方の空気流路に燃焼用空気を供給可能なファンと、を備えている、バーナ装置であって、前記バーナユニットは、前記整流板部からその下方に向けて突出する複数の脚部を備え、かつこれら複数の脚部の下端が前記バーナケースの底壁部に当接するように前記底壁部上に配置されていることにより、前記整流板部と前記底壁部との相互間に前記空気流路が形成されているとともに、前記バーナケース内における前記バーナ本体の上下高さ方向の位置決めが図られていることを特徴としている。
【０００９】
このような構成によれば、次のような効果が得られる。
すなわち、バーナユニットをバーナケース内に組み込む際に、バーナユニットの整流板部から下方に向けて突出する複数の脚部がバーナケースの底壁部上に位置するように設定すると、バーナ本体の設置領域に燃焼用空気を供給するための空気流路を適切に形成することができる。
バーナユニットの前記した複数の脚部は、その構成を簡易なものとすることが可能であり、製造コストも廉価に抑制することが可能である。
【００１０】
本発明において、好ましくは、前記複数の脚部は、前記整流板部の端部が下向きに屈曲されて構成されている。
【００１１】
このような構成によれば、バーナユニットの複数の脚部を簡易かつ廉価に設けることができる。部品点数も増加しないようにすることができる。
【００１２】
本発明において、好ましくは、前記複数の脚部として、前記整流板部の左右の両側端部から下向きに突出した左右一対のサイド脚部が設けられており、これら一対のサイド脚部は、前記バーナケースの左右一対の側壁部に対向接触または対向接近するようにしてこれら一対の側壁部の間に挟まれていることにより、前記バーナケース内における前記バーナ本体の左右横幅方向の位置決めが図られている。
【００１３】
このような構成によれば、バーナユニットの脚部を利用した簡易な構成により、バーナ本体を左右横幅方向の所定の位置に高い精度で配置させることが可能となる。
【００１４】
本発明において、好ましくは、前記バーナユニットには、前記整流板部の前部から上向きに起立し、かつ前記バーナ本体の前部を支持する前壁部が設けられており、この前壁部の左右横幅方向の両端部には、前記バーナケースの左右一対の側壁部に対向接触または対向接近するようにしてこれら一対の側壁部の間に挟まれる少なくとも一対の補助フランジ部が形成されている。
【００１５】
このような構成によれば、サイド脚部のみをバーナケースの左右一対の側壁部に対向接触または対向接近させるようにした場合と比較すると、一対の補助フランジ部をさらに一対の側壁部に対向接触または対向接近させる分だけ、バーナケースに対するバーナユニットの左右横幅方向の位置決め精度をより高めることが可能となる。とくに、前記一対の補助フランジ部は、バーナ本体に接近した位置にあるため、バーナ本体の位置決め精度を高める上で、より好ましい。
【００１６】
本発明において、好ましくは、前記バーナケースの底壁部の前縁部には、上向きに起立して左右横幅方向に延びる下側フランジ部が設けられており、この下側フランジ部の左右両端部と前記バーナケースの左右一対の側壁部との相互間には、前記バーナユニットを前記バーナケースの内外に出し入れする際に前記サイド脚部が通過可能な左右一対の凹状部
が設けられている。
【００１７】
このような構成によれば、バーナユニットをバーナケースの内外に出し入れする際に、バーナユニットのサイド脚部がバーナケースの下側フランジ部に不当に干渉して、前記したバーナユニットの出し入れ操作が困難になるといった不具合を生じないようにすることが可能である。一方、下側フランジ部は、後述する実施形態にも示されているように、たとえばバーナ本体に燃料ガスを供給するための燃料ガス噴射ヘッドをバーナケースに取付けるのに利用することができる。
【００１８】
本発明において、好ましくは、前記複数の脚部のうちの１つとして、前記整流板部の後端部から下向きに突出したリヤ脚部が設けられており、このリヤ脚部は、前記バーナケースの後壁部に対向接触するように設定されていることにより、前記バーナケース内における前記バーナ本体の前後方向の位置決めが図られている。
【００１９】
このような構成によれば、リヤ脚部を利用してバーナ本体の前後方向の位置決めをも適切に図ることが可能であり、バーナ本体を所望の位置に正確に配置させる上で、一層好ましいものとなる。
【００２０】
本発明のその他の特徴および利点は、添付図面を参照して以下に行なう発明の実施の形態の説明から、より明らかになるであろう。
【図面の簡単な説明】
【００２１】
【図１】本発明に係るバーナ装置の一例を示す斜視図である。
【図２】図１に示すバーナ装置の分解斜視図である。
【図３】図１のIII−III断面図である。
【図４】図３の要部分解断面図である。
【図５】（ａ）は、図１のＶ−Ｖ断面図であり、（ｂ）は、（ａ）の矢印Ｖｂで示す箇所の拡大図である。
【図６】図１に示すバーナ装置を構成するバーナケースの分解斜視図である。
【図７】図２に示すバーナユニットを構成するホルダおよびバーナ本体の分解斜視図である。
【図８】図７に示すホルダの分解斜視図である。
【図９】図７に示すホルダの側面断面図である。
【図１０】図９の分解断面図である。
【発明を実施するための形態】
【００２２】
以下、本発明の好ましい実施の形態について、図面を参照して具体的に説明する。
【００２３】
図１に示すバーナ装置Ｂは、たとえばガス給湯装置の構成要素として用いられ、このバーナ装置Ｂの上側には、湯水が流通する熱交換器（不図示）が載設される。バーナ装置Ｂを駆動燃焼させることにより、前記熱交換器内に送り込まれている湯水を加熱することが可能である。
【００２４】
バーナ装置Ｂは、バーナケース１、このバーナケース１内に収容されたバーナユニットＵ、およびバーナケース１の前面部に取付けられた補助プレート２を備えている。
【００２５】
図２によく表われているように、バーナケース１は、前面開口部１０および上面開口部１１を有する略直方体状である。前面開口部１０は、バーナユニットＵをバーナケース１の内外に出し入れするのに利用される部分であり、この前面開口部１０の周縁には、上側前壁部１２、下側フランジ部１３、および左右一対の横側フランジ部１４が設けられてい
る。下側および横側のフランジ部１３，１４は、図３を参照して後述する燃料ガス噴射ヘッド５１をバーナケース１に取付ける場合に、シール用パッキン５２の当接部として利用される。
【００２６】
補助プレート２は、前面開口部１０の上部寄り領域を閉塞するように、複数のビス７ａ，７ｂを用いてバーナケース１およびバーナユニットＵに取付けられている。より具体的には、補助プレート２の上部は、バーナケース１の前面開口部１０の上縁部に相当する上側前壁部１２に対し、ビス７ａ、ビス挿通孔７０、およびネジ孔７１を利用して取付けられている。一方、補助プレート２の下部は、バーナユニットＵの後述する前壁部４１の上部に対し、ビス７ｂ、ビス挿通孔７１、およびネジ孔７２を利用して取付けられている。図３に示すように、補助プレート２には、バーナ装置Ｂの駆動燃焼用の点火プラグ７８や、炎検出用のフレームロッド７９などが取付けられている。補助プレート２をバーナケース１およびバーナユニットＵから取り外すことにより、バーナユニットＵを前面開口部１０からバーナケース１の内外に出し入れ可能である（図２および図４を参照）。
【００２７】
図６に示すように、バーナケース１は、主要部をなすケース本体１ａと、これとは別体のケース下部材１ｂとを組み合わせて構成されている。ケース下部材１ｂは、平面視略矩形状の底壁部１９を有しており、かつこの底壁部１９の外周縁には、前記した下側フランジ部１３に加え、これと同様な上向き起立状の形態をもつ複数の起立片部１３ａが曲げ加工によって一体形成されている。これら下側フランジ部１３および複数の起立片部１３ａの内側にケース本体１ａの下部を嵌入し、かつこれらの部分を複数のビス７ｄ，７ｅを用いて締結することにより、バーナケース１が組み立てられている。
【００２８】
図２において、バーナユニットＵは、複数のバーナ本体３（ガス燃焼管）を並べた状態で後述のホルダＨに組み付けたものである。各バーナ本体３は、たとえば特開２０１３−２４２０８０号公報などに記載された従来既知のものと同様であり、濃淡バーナのタイプである。図７によく表われているように、各バーナ本体３は、全体が比較的偏平状であって、一端部（前端部）に燃料ガス導入口３０ａ，３０ｂを有し、かつ上面部が炎孔面３１とされた構成である。
【００２９】
図３に示すように、バーナケース１の下部および前部には、ファン５０および燃料ガス噴射ヘッド５１が取付けられる。ファン５０からバーナケース１内に供給された空気のうち、燃焼用の１次空気は、バーナケース１内の下部の空気流路５９を通過して後述する給気口４４に到達し、燃焼ガス噴出ヘッド５１のノズルから噴射される燃料ガスとともにバーナ本体３の燃料ガス導入口３０ａ，３０ｂに導入される。前記燃料ガスは、炎孔面３１およびその上方において燃焼する。ファン５０から空気流路５９に供給された空気のうち、１次空気以外の空気は、後述する整流板部４０の複数の通気孔４０ａを上向きに通過する。このことにより、複数のバーナ本体３の設置領域に燃焼用の２次空気が供給される。
【００３０】
バーナユニットＵのホルダＨは、図７および図８によく表われているように、ベース部材４と、枠状部材６とを組み合わせて構成されている。これらベース部材４および枠状部材６は、いずれも金属板にプレス加工を施すなどして構成されている。
【００３１】
ベース部材４は、複数のバーナ本体３が載設され、かつ前記した複数の通気孔４０ａを有する整流板部４０、および整流板部４０の前部から上向きに起立する前壁部４１を具備している。前壁部４１には、燃料ガス導入口３０ａ，３０ｂに対向する複数の給気口４４、および複数のバーナ本体３のそれぞれの前端部を嵌入させてその位置決め固定を図るための複数の位置決め用凹部４２が形成されている。
【００３２】
ホルダＨの枠状部材６は、複数のバーナ本体３の後側および左右両側を囲むための後板
部６０および左右一対の側板部６１が繋がった平面視略コ字状である。後板部６０の上端および下端には、複数のバーナ本体３の後端部を嵌入させてその位置決め固定を図るための複数の位置決め用凹部６２ａ，６２ｂが設けられている。
【００３３】
枠状部材６は、図９および図１０に示すように、ビス７ｃを利用してベース部材４に取付けられている。この取付けを補助し、枠状部材６の固定の確実化を図るための手段として、側板部６１の後側下部には係合用凸部６１ａが設けられ、かつこの係合用凸部６１ａは、ベース部材４に設けられた係合用スリット４６に挿入されてその前縁部に係合している。側板部６１の前側上部には、係合用凹部６１ｂが設けられ、かつこの係合用凹部６１ｂは、ベース部材４に設けられた被係合用凹部４７に係入している（図８の要部拡大斜視図も参照）。なお、側板部６１には、前後方向に延びた開口部６１ｃが形成されているが、この開口部６１ｃは、図５に示すように、側板部６１とバーナケース１の側壁部１８との相互間を進行する空気の一部を側板部６１と、この側板部６１に隣接するバーナ本体３との隙間に進行させるための部分である。これは、側板部６１に隣接するバーナ本体３の保炎性をよくする効果をもたらせる。
【００３４】
図７〜図１０に示すように、ベース部材４は、既述した整流板部４０および前壁部４１に加え、整流板部４０の端部を下向きに屈曲することによって整流板部４０に一体的に形成された左右一対のサイド脚部４８およびリヤ脚部４９をさらに備えている。
【００３５】
一対のサイド脚部４８は、整流板部４０の左右一対の側端部から下向きに突出し、かつ前後方向に延びたプレート状である。リヤ脚部４９は、整流板部４０の後端部から下向きに突出し、かつ左右横幅方向に延びたプレート状である。バーナユニットＵは、バーナケース１内に配された状態においては、サイド脚部４８およびリヤ脚部４９の下端がバーナケース１の底壁部１９の上面に当接するように配される。このことにより、底壁部１９と整流板部４０との相互間に前記した空気流路５９が形成される。また、サイド脚部４８およびリヤ脚部４９の下向き突出寸法ｈ１（整流板部４０の上面からの最大突出寸法）は、空気流路５９の高さが最適な高さとなるような寸法とされている。
【００３６】
図９および図１０において、各サイド脚部４８は、前部４８ａが前記した突出寸法ｈ１とされているのに対し、それよりも後側の部位は、その突出寸法ｈ２が寸法ｈ１よりも小さくなるように切り欠かれた形態とされている。このことにより、図３および図４に示すように、サイド脚部４８とビス７ｄとの不当な干渉が回避されている。より詳しくは、図５（ａ）に示すように、ビス７ｄの先端部はバーナケース１の側壁部１８の内方に突出している。これに対し、サイド脚部４８を前記した形態とすることにより、サイド脚部４８がビス７ｄに当接しないようになっている。
【００３７】
図５（ａ）に示すように、一対のサイド脚部４８は、バーナケース１の左右一対の側壁部１８の内面に対向接触し、または極僅かな寸法を隔てて対向接近した状態で、それら一対の側壁部１８の間に挟まれている。このことにより、バーナケース１に対するバーナユニットＵの横幅方向の位置決めを図り、バーナケース１内の横幅方向の所定位置に複数のバーナ本体３を正確に配置させることが可能となっている。図５（ｂ）に示すように、バーナケース１の側壁部１８には、サイド脚部４８の下縁部４８ｂが当接する膨出部１８ａが形成されており、この膨出部１８ａは、下縁部４８ｂと同様に前後方向に延びている。このような構成を採用すれば、下縁部４８ｂと膨出部１８ａとの当接箇所において気密性の高いシールを図ることが可能である。具体的には、整流板部４０よりも上方領域に存在する気体が、仮に、同図の矢印Ｎａで示すように、サイド脚部４８と側壁部１８との相互間の微小隙間に進入したとしても、この気体は前記した当接箇所よりも下方には進行せず、前記気体の外部への漏出を防止することが可能である。
【００３８】
図７および図８によく表われているように、ベース部材４の前壁部４１の左右横幅方向両端部は屈曲しており、横幅方向外方を向く複数対の補助フランジ部４１ａ〜４１ｃが形成されている。これら複数対の補助フランジ部４１ａ〜４１ｃの外面は、サイド脚部４８の外面と面一状である。したがって、複数対の補助フランジ部４１ａ〜４１ｃも、図５に示したサイド脚部４８と同様に、バーナケース１の左右一対の側壁部１８に対向接触または対向接近する状態で一対の側壁部１８の間に挟まれている。これは、バーナユニットＵの横幅方向の位置決め精度を高める効果をもたらせる。また、補助フランジ部４１ａ〜４１ｃは、前壁部４１の全体の剛性を高める効果も生じさせる。
【００３９】
好ましくは、補助フランジ部４１ａ，４１ｂは、これらの先端がベース部材４の後方側に向けて突出しない形態とされている。このような構成によれば、図２に示すように、バーナユニットＵがバーナケース１の手前に配置されている状態において、このバーナユニットＵをバーナケース１内に組み込む際に、補助フランジ部４１ａ，４１ｂの先端が横側フランジ部１４に引っ掛からないようにすることが可能である。
なお、図８によく表われているように、整流板部４０の後部側の両角部４０ｂは、面取り状に形成されている。このような構成によれば、バーナユニットＵをバーナケース１内に組み込む際に、両角部４０ｂがバーナケース１の一対の側壁部１８に引っ掛かり難くなる。
【００４０】
図１および図２に示すように、下側フランジ部１３の左右両端部と、バーナケース１の左右一対の側壁部１８（横側フランジ部１４の基部）との相互間には、上部開口状の一対の凹状部１６が設けられている。この凹状部１６は、サイド脚部４８をバーナケース１の前後方向に通過可能とするものである。このような構成により、サイド脚部４８と下側フランジ部１３との干渉が回避され、バーナケース１の内外へのバーナユニットＵの出し入れは、バーナユニットＵを前後方向にスライドさせるようにして行なうことが可能となる。
【００４１】
ベース部材４のリヤ脚部４９は、既述したように、整流板部４０の後端部から下向きに突出しているが、バーナユニットＵは、図３に示すように、リヤ脚部４９がバーナケース１の後壁部１７の内面に対向接触するように設定される。また、リヤ脚部４９は、ビス７ｆを用いて後壁部１７に締結されている。このような構成により、バーナケース１に対するバーナユニットＵの前後方向の位置決めを図り、バーナケース１内の前後方向の所定位置に複数のバーナ本体３を正確に配置させることが可能となっている。図５において、リヤ脚部４９には、ビス７ｅとの干渉を回避するための切欠き部４９ａが形成されている。
【００４２】
なお、たとえば図３に示すように、バーナユニットＵがバーナケース１内に配置されている状態において、バーナユニットＵをバーナケース１の前方へそのままスライドさせると、リヤ脚部４９が下側フランジ部１３に干渉することとなるが、その際にバーナユニットＵを少し持ち上げることにより、それらの干渉を回避し、バーナユニットＵの全体をバーナケース１の外部に容易に取り出すことが可能である。
また、各サイド脚部４８の前端４８ｃおよび後端４８ｄは、傾斜状とされている。これは、バーナユニットＵをバーナケース１の内部から外部に取り出す際に、前端４８ｃを凹状部１６に円滑に進入させ得るとともに、バーナユニットＵをバーナケース１の外部から内部に組み込む際に、後端４８ｄを凹状部１６に円滑に進入させ得る効果を生じさせる。
【００４３】
次に、前記したバーナ装置Ｂの作用について説明する。
【００４４】
バーナケース１内にバーナユニットＵが組み込まれた状態においては、一対のサイド脚部４８、およびリヤ脚部４９の下端がバーナケース１の底壁部１９に当接するように配置されていることにより、整流板部４０の下方に空気流路５９を適切に形成することが可能
である。
【００４５】
既述したように、本実施形態によれば、一対のサイド脚部４８や補助フランジ部４１ａ〜４１ｃがバーナケース１の一対の側壁部１８間に挟まれた状態となること、およびリヤ脚部４９がバーナケース１の後壁部１７に対向接触した状態とされることなどにより、複数のバーナ本体３の横幅方向および前後方向の位置決めも適切に図ることができる。したがって、複数のバーナ本体３をバーナケース１内の所定位置に正確に配置させることが一層容易かつ適切に実現できることとなる。
【００４６】
また、本実施形態によれば、下側フランジ部１３の両側に凹状部１６を設けることにより、下側フランジ部１３とサイド脚部４８との干渉が回避可能であるため、バーナケース１に対するバーナユニットＵの出し入れ作業は容易である。加えて、既述したように、補助フランジ部４１ａ，４１ｂの先端が後向き突出状ではないこと、整流板部４０の後部の両角部４０ｂが面取り状とされていること、およびサイド脚部４８の前端４８ｃおよび後端４８ｄが傾斜状とされていることなどにより、バーナユニットＵの出し入れ時にバーナユニットＵの各部がバーナケース１に引っ掛かりを生じ難くなっている。このため、バーナユニットＵの出し入れ作業が一層容易となる。
【００４７】
本発明は、上述した実施形態の内容に限定されない。本発明に係るバーナ装置の各部の具体的な構成は、本発明の意図する範囲内において種々に設計変更自在である。
【００４８】
本発明でいう複数の脚部は、上述した一対のサイド脚部およびリヤ脚部に限定されない。一対のサイド脚部およびリヤ脚部としては、上述したものとは異なる構成とすることが可能であるばかりか、たとえばリヤ脚部を設けることなく、一対のサイド脚部のみを設けた構成とすることもできる。
【００４９】
バーナ本体は、必ずしも濃淡バーナとして構成されたものである必要はなく、これとは異なる種類（たとえば、全一次バーナなど）のものを用いることも可能である。
バーナユニットをバーナケースに固定させる場合、その手段はビス止めに限らず、ビス以外のネジ部材を用いてそれらを締結することも可能である。
本発明に係るバーナ装置は、給湯装置用に限定されず、たとえば温風装置用、あるいは焼却装置用など、その具体的な用途も問わない。
【符号の説明】
【００５０】
Ｂ  バーナ装置
Ｈ  ホルダ
Ｕ  バーナユニット
１  バーナケース
１０  前面開口部
１３  下側フランジ部
１６  凹状部
１７  後壁部
１８  側壁部
１９  底壁部
２  補助プレート
３  バーナ本体
４０  整流板部
４０ａ  通気孔
４１  前壁部
４１ａ〜４１ｃ  補助フランジ部
４８  サイド脚部（脚部）
４９  リヤ脚部（脚部）
５０  ファン
５９  空気流路
【図１】
2018185068.tif 000003
【図２】
2018185068.tif 000004
【図３】
2018185068.tif 000005
【図４】
2018185068.tif 000006
【図５】
2018185068.tif 000007
【図６】
2018185068.tif 000008
【図７】
2018185068.tif 000009
【図８】
2018185068.tif 000010
【図９】
2018185068.tif 000011
【図１０】
2018185068.tif 000012